(57)【要約】【課題】  手摺用ブラケットの取付け作業効率の向上を図るとともに、手摺用ブラケット位置で手摺を手で持った際に、手がアーム部に当たるのを回避する。【解決手段】  手摺１１の長手方向に沿って所定の間隔で被取付体１２に突設されるアーム部１３と、該アーム部１３に固定され、手摺１１を支持する支持部１４とを備えた手摺用ブラケット１０であって、アーム部１３の被取付体１２に対する取付部１６の軸線延長線上に支持部１４に支持される手摺１１の軸線が直交するように該支持部１４を配置し、アーム部１３が取付部１６の軸線を中心として回転可能であって、所定の位置に配置されるように固定され、かつ、アーム部１３の取付部１６からの突出部分を下方に屈曲した後立ち上げる屈曲部を形成し、該突出端に支持部１４の下側部を固定する。【選択図】      図１
0003116007.tif 000002
【実用新案登録請求の範囲】
【請求項１】
手摺の長手方向に沿って所定の間隔で被取付体に突設されるアーム部と、該アーム部に固定され、前記手摺を支持する支持部とを備えた手摺用ブラケットであって、
前記アーム部の前記被取付体に対する取付部の軸線延長線上に前記支持部に支持される前記手摺の軸線が直交して位置するように該支持部を配置し、前記アーム部が前記取付部の軸線を中心として回転可能であって、所定の位置に配置されるように固定され、かつ、前記アーム部の前記取付部からの突出部分を下方に屈曲した後立ち上がる屈曲部を形成し、該突出端に前記支持部の下側部を固定したことを特徴とする手摺用ブラケット。
【請求項２】
前記支持部は、前記手摺が嵌合される筒部と、該筒部に前記手摺を固定する固定部材とを備えたことを特徴とする請求項１記載の手摺用ブラケット。
【考案の詳細な説明】
【技術分野】
【０００１】
本考案は、例えば、水平部や階段やスロープ等の傾斜部に設置される手摺を支持する手摺用ブラケットに関する。
【背景技術】
【０００２】
従来のこの種の手摺用ブラケットとしては、例えば、図４に示すものが知られている。
この手摺用ブラケットは、手摺１の長手方向に沿って所定の間隔で配置され、壁面や支柱等の被取付部２に取り付けられるアーム部３を備えている。
アーム部３は、被取付部２に取り付けるための台座部３ａから上方に湾曲して突設されており、該突出した端部には手摺１を支持する支持部４が固定されている。
【０００３】
この種の手摺用ブラケットとしては、種々のものがあるが、その中で廊下、階段等に設置が容易な手摺の例が提案されている（特許文献１参照）。この手摺は、手摺受け金具に載置された二つの手摺材の突合せ端部の内側に雌ねじが形成された接続部材が挿入され、手摺受け金具の下方から接続部材の雌ねじに雄ねじが締めつけられて二つの手摺材の突合せ端部が固定され、該突合せ端部にカバーが設けられてなる手摺である。
【特許文献１】特開平１０−３０６５６６号公報
【考案の開示】
【考案が解決しようとする課題】
【０００４】
ところで、上記従来の手摺用ブラケットにおいては、躯体形状によって歩行面が水平部から階段やスロープ等の傾斜部に変化したり、傾斜部から水平部に変化したりするが、傾斜部に手摺１を設置する場合には、水平部と略同一高さに手摺１を設置する必要があることから、歩行面の傾斜角度に応じて被取付部２への手摺用ブラケットの取付け高さ（位置）を変えなければならなくなる。
このため、水平部と傾斜部とで手摺用ブラケットの取付け高さが異なり、手摺用ブラケットの取付け作業の効率が低下するという問題がある。
【０００５】
また、歩行面の傾斜角度に合わせて手摺も傾斜して設置する関係で、手摺用ブラケットも傾斜した手摺を支持できるような構造のものを設置しなければならない。その場合、手摺の傾斜角度が多様であるため、その傾斜角度に合わせた支持部を持つ手摺用ブラケットを用意することは困難であるので、図４に示すような従来の手摺用ブラケットをその傾斜角度に合わせて傾けて設置することが行われるが、手摺用ブラケットが支柱に取り付けられている場合には、手摺用ブラケットにおける支持部が本来の支柱の位置とかなりずれてしまい、そのために手摺の高さも多少ずれを生じることになり、そのために手摺用ブラケットの支持部の間隔が水平の場合と異なってきて、手摺用ブラケットの支持部間の手摺の長さが変わり、施工上に問題が生じる。
この問題は、建物の場合には手摺用ブラケットの支持部が手摺の軸線と一致するようにその取付部の取付位置を変えることにより避けることはできるが、施工が面倒となるし、取り付ける場所が柱に限られている場合や、支柱には適用することができない。
【０００６】
本考案は、このような不都合を解消するためになされたものであり、その目的は、取付け作業の効率を向上させることができる手摺用ブラケットを提供することにある。
【課題を解決するための手段】
【０００７】
本考案は、下記の手段のよって上記の課題を解決した。
（１）手摺の長手方向に沿って所定の間隔で被取付体に突設されるアーム部と、該アーム部に固定され、前記手摺を支持する支持部とを備えた手摺用ブラケットであって、
前記アーム部の前記被取付体に対する取付部の軸線延長線上に前記支持部に支持される前記手摺の軸線が直交して位置するように該支持部を配置し、前記アーム部が前記取付部の軸線を中心として回転可能であって、所定の位置に配置されるように固定され、かつ、前記アーム部の前記取付部からの突出部分を下方に屈曲した後立ち上がる屈曲部を形成し、該突出端に前記支持部の下側部を固定したことを特徴とする手摺用ブラケット。
（２）前記支持部は、前記手摺が嵌合される筒部と、該筒部に前記手摺を固定する固定部材とを備えたことを特徴とする前記（１）記載の手摺用ブラケット。
【考案の効果】
【０００８】
本考案によれば、アーム部の被取付体に対する取付部の軸線延長線上に支持部に支持される手摺の軸線が位置するように該支持部を配置しているので、手摺の傾斜角度にかかわらず、アーム部の取付け高さと手摺の軸線高さとを一致させることができる。
これにより、水平部と傾斜部とで手摺用ブラケットの取付け高さを同じにすることができ、手摺用ブラケットの取付け作業効率の向上を図ることができる。
また、アーム部の取付部からの突出部分を下方に屈曲した後立ち上がる屈曲部を形成し、該突出端に支持部の下側部を固定しているので、手摺を手で触りながら伝わって来た際に、手摺用ブラケット位置で手がアーム部に当たるのを避けることができる。
【考案を実施するための最良の形態】
【０００９】
以下、本考案の実施の形態の一例を図を参照して説明する。
図１は本考案の実施の形態の一例である手摺用ブラケットを説明するための一部縦断説明図、図２は手摺用ブラケットで手摺を支持している状態を示す図である。
本考案の実施の形態の一例である手摺用ブラケット１０は、図１及び図２に示すように、手摺１１の長手方向に沿って所定の間隔で被取付体、この場合には支柱１２の外周部に突設されるアーム部１３と、該アーム部１３に固定され、手摺１１を支持する支持部１４とを備えている。
【００１０】
アーム部１３は、例えば、ステンレス鋼等の棒材に曲げ加工を施して形成されており、支柱１２の外周部に設けた穴１５から該支柱１２内に水平方向に挿入される取付軸（取付部）１６と、該取付軸１６の支柱１２から離間する側の端部から下方に略Ｕ字状に屈曲する屈曲部１７とを有している。該屈曲部１７の先端部は、略鉛直方向の上方に延びて取付軸１６の軸線より下方に位置している。
支持部１４は、手摺１１が嵌合される円筒部１８を備えており、該円筒部１８は、例えば、ステンレス鋼等のパイプ材で形成され、円周方向の下側部がアーム部１３の屈曲部１７先端に固定されている。
【００１１】
また、円筒部１８の屈曲部１７先端との固定位置近傍には、止めねじ（固定部材）１９が取り付けられており、該止めねじ１９を円筒部１８内に嵌合された手摺１１にねじ込むことにより、該手摺１１が円筒部１８に固定されるようになっている。
ここで、この実施の形態では、支柱１２の穴１５に挿入されたアーム部１３の取付軸１６の軸線延長線上に支持部１４の円筒部１８内に嵌合される手摺１１の軸線が直交して位置するように該円筒部１８を配置している。取付軸１６が支柱１２に対して動かないようにするためには、支柱１２の穴１５の周囲付近において必要により取付軸１６にストッパーを取り付けてもよい。
【００１２】
そして、手摺１１の傾斜角度に応じてアーム部１３の取付軸１６を支柱１２に対して回転させて、支持部１４の円筒部１８の軸線を手摺１１の軸線に合わせ、この状態で、支柱１２の穴１５から周方向に１８０°離間した位置で該支柱１２に形成したねじ挿通穴２０に止めねじ２１を挿通して、該止めねじ２１を取付軸１６の端面に形成したねじ孔２２にねじ込むことにより、手摺用ブラケット１０が支柱１２に固定される。
このように、この実施の形態では、支柱１２の穴１５に挿入されたアーム部１３の取付軸１６の軸線延長線上に支持部１４の円筒部１８に嵌合される手摺１１の軸線が直交して位置するように該円筒部１４を配置しているので、図２（ａ）〜図２（ｃ）に示すように、手摺１１の水平、あるいは傾斜角度を有する場合にかかわらず、アーム部１３の取付軸１６の取付け高さと手摺１１の軸線高さとを一致させることができる。なお、図２（ａ）〜図２（ｃ）は、手摺用ブラケット１０を支柱１２に固定する場合について高さを異ならした場合を各１枚の図面で示したものであって、上方に示したものが手摺１１の太さが太いもの（４２．７ｍｍ径）であり、下方に示したものが手摺１１の太さが細いもの（３４ｍｍ径）であり、（ｂ）は（ａ）の側面図を示す。
【００１３】
これにより、水平部と傾斜部とで手摺用ブラケット１０の取付け高さを同じにすることができ、手摺用ブラケット１０の取付け作業効率の向上を図ることができる。
また、アーム部１３の取付軸１６からの突出部分を下方に延びた後立上る略Ｕ字状に屈曲する屈曲部１７として、該屈曲部１７の先端部に支持部１４の円筒部１８の円周方向の下側部を固定しているので、手摺１１を手で触りながら伝わって来た際に、手摺用ブラケット１０の位置で手がアーム部１３に当たるのを避けることができる。
【００１４】
なお、図１及び図２は、手摺用ブラケットを支柱に取り付ける場合で説明したが、本考案の手摺用ブラケットは壁や柱に取り付けて使用することができるものであるので、図３においては壁に取り付けた場合を説明する。
図３においては、支持部として取付金具２３を別に用意し、この取付金具２３は中央に取付軸１６を通す穴２４を有し、裏側に穴２４の周囲の部分に凹部２５を設け、表側の周囲に固定用のねじ孔２６を設けた構造のものとする。手摺用ブラケットの取付軸１６の先端に凹部２５の高さに相当する長さで雄ねじ２７を切り、その取付軸１６の先端を前記取付金具２３の表側から穴２４に挿入し、裏側からナット２８を雄ねじ２７に螺合させると、凹部２５から取付軸１６が抜けないようになる。その状態では、取付軸１６が取付金具２３に対して固定されることがなく、取付軸１６は所定の角度まで回転させることができる。それから外側の固定用ナット２９を締めれば、取付軸１６をナット２８、２９で取付金具２３に対して固定させることができる。
【００１５】
このようして取付軸１６の先端に取付金具２３を設けてなる取付部を壁に取り付けることにより、本考案の手摺用ブラケットを壁に設置することができる。また、事前に固定用ナット２９を締めないで、取付部を壁に取り付けた後に取付軸１６を所定の角度まで回転させてから、固定用ナット２９を締めるようにすることもでき、この方が現場での作業に適したものとなる。取付部に取付軸１６を止める場合、ナット２８を雄ねじ２７に螺合させるだけでなく、さらに溶接してもよいし、あるいは取付軸１６の先端を多少長くしておいて、潰し加工をして取付軸１６が穴２４から出ないような加工をしてもよい。いずれにしても取付軸１６の先端が穴２４内に保持されていて、しかも取付軸１６が円筒部１８を必要な傾斜角度となるように回転することができる構造のものであらばどのようなものでもよい。この手摺用ブラケットにおいては、取付軸１６をどのような角度に回転しても円筒部１８の軸線の中心の位置が移動することがなく、手摺の軸線と一致させることができる。
【００１６】
なお、本考案の手摺、躯体、アーム部、支持部、アーム部の屈曲形状、筒部、固定部材等は、上記実施の形態に例示したものに限定されるものではなく、本考案の要旨を逸脱しない範囲において適宜変更可能である。
例えば、上記実施の形態では、支持部１４の円筒部１８に手摺１１を嵌合する場合を例示したが、これに代えて、図４に示したように、上面に手摺１１の外形に対応する凹曲面を有する受け板４によって手摺１１を支持するようにしてもよい。
また、上記実施の形態では、被取付体として支柱１２や壁を例示したが、これに限定されず、建築物の各部、塀やその他の被取付体に本考案に係る手摺用ブラケットを取り付けるようにしてもよいのは勿論である。
【図面の簡単な説明】
【００１７】
【図１】本考案の実施の形態の一例である手摺用ブラケットを支柱に取り付ける形態を説明するための一部縦断説明図である。
【図２】手摺用ブラケットで手摺を支持している状態を示す図であり、（ａ）は歩行面が水平面である場合の正面図、（ｂ）は（ａ）の側面図、（ｃ）は歩行面が傾斜面である場合の正面図である。
【図３】本考案の実施の形態の別の一例である手摺用ブラケットを壁に取り付ける形態を説明するための一部縦断説明図である。
【図４】従来の手摺用ブラケットの一例を示す斜視図である。
【符号の説明】
【００１８】
１    手摺
２    取付部
３    アーム部
３ａ  台座部
４    支持部
１０    手摺用ブラケット
１１    手摺
１２    支柱（被取付体）
１３    アーム部
１４    支持部
１６    取付軸（取付部）
１７    屈曲部
１８    円筒部（筒部）
１９    止めねじ（固定部材）
２０    ねじ挿通孔
２１    止めねじ
２２    ねじ孔
２３    取付金具
２４    穴
２５    凹部
２６    ねじ用孔
２７    雄ねじ部
２８、２９  ナット
３０    止めねじ
【図１】
0003116007.tif 000003
【図２】
0003116007.tif 000004
【図３】
0003116007.tif 000005
【図４】
0003116007.tif 000006